(57)【要約】【課題】美観に優れ、省スペース化を図ることができる混合水栓を提供する。【解決手段】混合水栓１は、熱湯を供給するための給湯管３を熱湯流通路１５と混合用流通路１６とに分岐する分岐部１３と、給水管２から供給される水と混合用流通路１６から供給される熱湯を混合して流出させる混合弁１４とが内蔵された水栓本体１０と、水栓本体１０から延出した形態であり、熱湯流通路１５と、混合弁１４を経由した湯水を流通させる湯水流通路１７とが内蔵された吐出管２０とを備えている。【選択図】図８
2018062813.tif 000002
【特許請求の範囲】
【請求項１】
熱湯を供給するための給湯管を熱湯流通路と混合用流通路とに分岐する分岐部と、給水管から供給される水と前記混合用流通路から供給される熱湯を混合して流出させる混合弁とが内蔵された水栓本体と、
前記水栓本体から延出した形態であり、前記熱湯流通路と、前記混合弁を経由した湯水を流通させる湯水流通路とが内蔵された吐出管とを備えていることを特徴とする混合水栓。
【請求項２】
前記吐水管を構成し、前記水栓本体から延出した形態であって、前記水栓本体に対して回動可能な回動管部と、
前記熱湯流通路と前記湯水流通路とを同軸状に配した形態であり、前記回動管部内に同軸状に収容された同軸管部とを備えていることを特徴とする請求項１記載の混合水栓。
【請求項３】
前記吐水管を構成し、前記回動管部の下流端部から略直角に延出した形態の延長管部を備えており、
前記延長管部内では、前記熱湯流通路と前記湯水流通路とが非同軸状に且つ非接触状態で配されていることを特徴とする請求項２記載の混合水栓。
【発明の詳細な説明】
【技術分野】
【０００１】
本発明は、混合水栓に関する。
【背景技術】
【０００２】
特許文献１には、従来の混合水栓が開示されている。この混合水栓は、栓本体と、混合湯吐出口と、熱湯吐出口とを備えている。栓本体は給水管及び給湯管と接続しており、水と湯を混合する。混合湯吐出口は、栓本体により水と湯が混合された混合湯を吐出する。熱湯吐出口は給湯管からの熱湯を吐出する。
【先行技術文献】
【特許文献】
【０００３】
【特許文献１】特開２０００−９６６４４号公報
【発明の概要】
【発明が解決しようとする課題】
【０００４】
特許文献１の混合水栓の場合、混合湯を吐出するための吐出管と、熱湯を吐出するための吐出管が、栓本体から別々に延出した形態となっている。このため、美観が良くなく、大きな設置スペースが必要となる。
【０００５】
本発明は、上記従来の実情に鑑みてなされたものであって、美観に優れ、省スペース化を図ることができる混合水栓を提供することを解決すべき課題としている。
【課題を解決するための手段】
【０００６】
本発明の混合水栓は、
熱湯を供給するための給湯管を熱湯流通路と混合用流通路とに分岐する分岐部と、給水管から供給される水と前記混合用流通路から供給される熱湯を混合して流出させる混合弁とが内蔵された水栓本体と、
前記水栓本体から延出した形態であり、前記熱湯流通路と、前記混合弁を経由した湯水を流通させる湯水流通路とが内蔵された吐出管とを備えていることを特徴とする。
【発明の効果】
【０００７】
本発明の混合水栓は、水栓本体から延出した１本の吐出管内に、混合弁を経由した湯水を流通させる湯水流通路と、熱湯を流通させる熱湯流通路とが内蔵されているので、湯水流通路と熱湯流通路を水栓本体から別々に延出させる場合に比べると、形状がシンプルになるので美観に優れているとともに、省スペース化を図ることができる。
【図面の簡単な説明】
【０００８】
【図１】実施例１に係る混合水栓の斜視図である。
【図２】混合水栓の正面図である。
【図３】混合水栓の側面図である。
【図４】吐出管を構成する延長管部の延出端部の部分拡大底面図である。
【図５】吐出管を構成する延長管部の延出端部の部分拡大斜視図である。
【図６】回動式ハンドルを開操作して熱湯を吐出している状態をあらわす側面図である。
【図７】レバー式ハンドルを開操作して湯水を吐出している状態をあらわす側面図である。
【図８】水栓本体と吐出管の回動管部の内部構造をあらわす部分拡大断面図である。
【図９】吐出管の延長管部の内部構造をあらわす部分拡大断面図である。
【発明を実施するための形態】
【０００９】
本発明の混合水栓は、
前記吐水管を構成し、前記水栓本体から延出した形態であって、前記水栓本体に対して回動可能な回動管部と、
前記熱湯流通路と前記湯水流通路とを同軸状に配した形態であり、前記回動管部内に同軸状に収容された同軸管部とを備えていてもよい。
この構成によれば、同軸管部の中心孔を、熱湯流通路と湯水流通路のうち一方の流通路として機能させることができるので、回動機構の構造を簡素化することができる。
【００１０】
本発明の混合水栓は、
前記吐水管を構成し、前記回動管部の下流端部から略直角に延出した形態の延長管部を備えており、
前記延長管部内では、前記熱湯流通路と前記湯水流通路とが非同軸状に且つ非接触状態で配されていてもよい。
この構成によれば、熱湯流通路と湯水流通路との間での熱伝達を抑制できるので、熱湯の温度低下と湯水の温度上昇を抑制し、熱湯と湯水を適温で吐出させることができる。
【００１１】
＜実施例１＞
以下、本発明を具体化した実施例１を図１〜図９を参照して説明する。尚、以下の説明において、前後の方向については、図３，４，６〜９における左方を前方と定義する。上下の方向については、図１〜３，５〜９にあらわれる向きを、そのまま上方、下方と定義する。左右の方向については、図２にあらわれる向きを、そのまま左方、右方と定義する。
【００１２】
本実施例１の混合水栓１は、壁面取り付け型の水栓である。混合水栓１は、図１〜図４に示すように、水栓本体１０、吐出管２０、熱湯吐出口４０、湯水吐出口４２、レバー式ハンドル５０及び回動式ハンドル６０を備えている。これらの各部材は、大部分を白色の樹脂カバーにより夫々覆われており、全体として白色を呈する清潔感のある意匠とされている。
【００１３】
水栓本体１０は、左右方向に長い略直方体形状をなし、合成樹脂製の本体カバー１１と、本体カバー１１内に収容した支持部材１２（図８を参照）とを備えている。本体カバー１１内には、図２に模式的に示すように、分岐部１３と混合弁１４とが収容されている。分岐部１３は水栓本体１０の左右方向中央より左側に配され、混合弁１４は水栓本体１０の左右方向中央部に配されている。
【００１４】
水栓本体１０の背面（壁面と対向する面）の右端部には、壁面内の配管から水栓本体１０内へ水を供給するための給水管２が接続されている。給水管２のうち水栓本体１０内に収容された下流端は、混合弁１４に接続されている。水栓本体１０の背面の左端部には、壁面内の配管から水栓本体１０内へ最高９５℃の熱湯を供給するための給湯管３が接続されている。給湯管３のうち水栓本体１０内に収容された下流端は、分岐部１３に接続されている。
【００１５】
分岐部１３には、熱湯流通路１５の上流端と、混合用流通路１６の上流端とが接続されている。給湯管から分岐部１３に供給された熱湯は、熱湯流通路１５と混合用流通路１６の両方へ分岐して流出させる。混合用流通路１６の下流端は混合弁１４に接続されている。混合弁１４には、湯水流通路１７の上流端が接続されている。混合弁１４は、給水管２から供給された水と、混合用流通路１６から供給された熱湯とを混合した湯水を、湯水流通路１７へ流出させることができる。混合用流通路１６の上流端には逆止弁（図示省略）が設けられているので、混合弁１４で混合された湯水が分岐部１３や熱湯流通路１５へ逆流する虞はない。
【００１６】
図３，６，７に示すように、吐出管２０は、外観的には、回動管部２１と延長管部２２とから構成され、全体として略Ｌ字形をなしている。回動管部２１は、水栓本体１０の下面における左右方向中央から下方へ延出し、軸線を上下方向（鉛直方向）に向けた形態である。延長管部２２は、回動管部２１の下端部から水平に延出した形態である。吐水管２０は、回動管部２１の軸線を中心として水平方向へ回動し得るようになっている。
【００１７】
図８，９に示すように、吐水管２０は、機能的には、略Ｌ字形をなす合成樹脂製の管状カバー２３と、管状カバー２３内に収容された略Ｌ字形の熱湯流通路１５と、管状カバー２３内に収容された略Ｌ字形の湯水流通路１７とを備えている。吐水管２０は、構造的には、管状カバー２３のうち回動管部２１内に収容された同軸管部２４と、管状カバー２３のうち延長管部２２内に収容された別軸管部３６とを備えている。
【００１８】
同軸管部２４は、略Ｌ字形をなす合成樹脂製の外筒２５と、円筒形をなす合成樹脂製の内筒２９とを備えて構成されている。外筒２５は、軸線を上下方向に向けて回動管部２１と同軸状をなす鉛直筒部２６と、鉛直筒部２６の下端部に連通する熱湯用接続筒部２７と、熱湯用接続筒部２７よりも下方に配されて鉛直筒部２６の下端部に連通する湯水用接続筒部２８とを有している。熱湯用接続筒部２７は、熱湯流通路１５を構成する。湯水用接続筒部２８は、湯水流通路１７として機能する。
【００１９】
鉛直筒部２６内には、内筒２９が同軸状に収容されている。内筒２９の中心孔３０は、湯水流通路１７として機能する。内筒２９の外周の下端部は、鉛直筒部２６の内周に対し、熱湯用接続筒部２７と湯水用接続筒部２８とを液密状に仕切るように当接している。これにより、中心孔３０の下端は、湯水用接続筒部２８と連通するが、熱湯用接続筒部２７とは非連通となる。
【００２０】
内筒２９の外周には、上下方向に細長い複数のリブ３１が周方向に間隔を空けて形成され、これらのリブ３１が鉛直筒部２６の内周に当接している。これにより、内筒２９の外周と鉛直筒部２６の内周との間には、熱湯流通路１５として機能する弧状空間３２が構成されている。また、リブ３１の上下方向における形成領域は、鉛直筒部２６の上端よりも下方の位置から、熱湯用接続筒部２７より上方の位置に至る範囲である。これにより、内筒２９の外周と鉛直筒部２６の内周との間には、夫々、全周に亘って連続した形態であって熱湯流通路１５として機能する環状空間３３，３４が形成されている。
【００２１】
上側の環状空間３３は、複数の弧状空間３２の上端部と連通している。水栓本体１０を構成する支持部材１２と、鉛直筒部２６の上端部には、分岐部１３と吐水管２０との間における熱湯流通路１５を構成する連通路３５が形成されている。この連通路３５は、上側の環状空間３３と連通している。下側の環状空間３４は、複数の弧状空間３２の下端部に連通しているとともに、熱湯用接続筒部２７にも連通している。
【００２２】
別軸管部３６は、熱湯流通路１５を構成する熱湯用水平管部３７と、湯水流通路１７を構成する湯水用水平管部３８とから構成されている。熱湯用水平管部３７の上流端は熱湯用接続筒部２７に接続されている。湯水用水平管部３８の上流端は湯水用接続筒部２８に接続されている。熱湯用水平管部３７と湯水用水平管部３８とは、互いに接触しないように上下に離間した状態で互いに並行するように配置されている。熱湯用水平管部３７と湯水用水平管部３８との間には、熱伝導率の高い空気層が介在するので、熱湯用水平管部３７と湯水用水平管部３８との間では、温度差があっても熱の伝達が生じ難くなっている。また、熱湯用水平管部３７が上側、湯水用水平管部３８が下側に配置されているので、熱湯用水平管部３７の外周から熱が放出されても、その熱は上方向に逃げていく。そのため、熱湯用水平管部３７から湯水用水平管部３８への熱の伝達が生じ難く、湯水用水平管部３８を通る湯水の温度への影響も生じ難い。
【００２３】
延長管部２２の延出端部の下面には、熱湯流通路１５の下流端に連通する熱湯吐出口４０が、下向きに突出した形態で形成されている。熱湯吐出口４０の下端部には識別表示部４１が設けられている。識別表示部４１は、他の部位とは異なる色彩で、帯状に着色して形成されている。
【００２４】
分岐部１３に供給された熱湯は、熱湯流通路１５のうち水栓本体１０の本体カバー１１内に配索された流路、連通路３５、上側の環状空間３３、弧状空間３２、下側の環状空間３４、熱湯用接続筒部２７、熱湯用水平管部３７を順に通り、熱湯吐出口４０から整流状に下向きに吐出される。連通路３５、上側の環状空間３３、弧状空間３２、下側の環状空間３４、熱湯用接続筒部２７、熱湯用水平管部３７は、熱湯流通路１５を構成する。
【００２５】
熱湯吐出口４０からの熱湯の吐出量は、延長管部２２の延出端部に設けた回動式ハンドル６０を、延長管部２２の延長方向と平行な回動軸Ｃを中心として回動操作することにより行うことができる。回動式ハンドル６０は識別表示部６１を有している。識別表示部６１は、円柱形状をなす回動式ハンドル６０の端面中心から外周方向に延びるとともに、外周面上を中心軸に沿って延びる略Ｌ字状に形成されている。識別表示部６１は、熱湯吐出口４０の識別表示部４１と同色の赤色に着色されている。
【００２６】
吐出管２０を構成する延長管部２２の延出端部の下面には、湯水流通路１７の下流端に連通する湯水吐出口４２が、下向きに突出した形態で形成されている。湯水吐出口４２は、熱湯吐出口４０よりも延長管部２２の基端側（回動管部２１に近い側）の位置に隣接して配置されている。延長管部２２の下面からの湯水吐出口４２の突出端の位置は、熱湯吐出口４０の突出端の位置より上方である。
【００２７】
混合弁１４で混合された湯水は、内筒２９の中心孔３０、湯水用接続筒部２８、湯水用水平管部３８を順に通り、湯水吐出口４２から空気の泡沫を含んだストレート状に吐出される。内筒２９の中心孔３０、湯水用接続筒部２８、湯水用水平管部３８は、湯水流通路１７を構成する。湯水の吐出量と温度（熱湯と水の混合割合）は、水栓本体１０の上面の左右方向略中央に設けたレバー式ハンドル５０を操作して混合弁１４を作動させることによって行われる。レバー式ハンドル５０を水平軸周りに上下移動させると、湯水の吐出量を調節することができる。レバー式ハンドル５０を鉛直軸周りに回動させると、湯水の混合割合を調節することができる。
【００２８】
次に、本実施例の作用を説明する。湯水も熱湯も吐出させない場合は、図３に示すように、レバー式ハンドル５０を最も下方へ変位させて水平に向きにしておくとともに、回動式ハンドル６０を、識別表示部６１が横向きとなる位置に回動させておく。熱湯を吐出させる際には、図６に示すように、識別表示部６１が上向きとなるように回動式ハンドル６０を回動させる。回動式ハンドル６０を回動させると、熱湯吐出口４０から熱湯が吐出する。このとき、回動式ハンドル６０の回動角度が大きいほど、熱湯の吐出量が多くなる。
【００２９】
湯水を吐出させる際には、図７に示すようにレバー式ハンドル５０を上方へ回動させる。このとき、レバー式ハンドル５０の上方への回動角度が大きいほど、湯水の吐出量が多くなる。また、レバー式ハンドル５０を水平に回動させると、湯水の吐出温度を調節することができる。
【００３０】
本実施例１の混合水栓１は、分岐部１３と混合弁１４を内蔵した水栓本体１０と、水栓本体１０が突出した形態の吐出管２０とを備えている。分岐部１３は、熱湯を供給するための給湯管３を熱湯流通路１５と混合用流通路１６とに分岐させるものである。混合弁１４は、分岐部１３と、給水管２から供給される水と、混合用流通路１６から供給される熱湯とを混合して流出させるものである。吐出管２０は、水栓本体１０から延出した形態であり、吐出管２０には、熱湯流通路１５と、混合弁１４を経由した湯水を流通させる湯水流通路１７とが内蔵されている。
【００３１】
本実施例の混合水栓１は、水栓本体から延出した１本の吐出管２０内に、混合弁１４を経由した湯水を流通させる湯水流通路１７と、熱湯を流通させる熱湯流通路１５とが内蔵されている。したがって、湯水流通路１７と熱湯流通路１５を水栓本体１０から別々に延出させる場合に比べると、形状がシンプルになるので美観に優れているとともに、省スペース化を図ることができる。
【００３２】
また、混合水栓１は、回動管部２１と同軸管部２４を備えている。回動管部２１は、吐水管２０を構成するものであり、水栓本体１０から延出した形態であって、水栓本体１０に対して回動可能である。同軸管部２４は、熱湯流通路１５と湯水流通路１７とを同軸状に配した形態であり、回動管部２１内に同軸状に収容されている。この構成によれば、同軸管部２４の中心孔３０を、熱湯流通路１５と湯水流通路１７のうち一方の流通路として機能させることができるので、回動機構の構造を簡素化することができる。
【００３３】
また、混合水栓１は、延長管部２２と別軸管部３６とを備えている。延長管部２２は、吐水管２０を構成するものであり、回動管部２１の下流端部から略直角に延出した形態である。別軸管部３６は、熱湯流通路１５と湯水流通路１７とを非同軸状に且つ非接触状態で配した形態であり、延長管部２２内に収容されている。この構成によれば、熱湯流通路１５と湯水流通路１７との間での熱伝達を抑制できるので、熱湯の温度低下と湯水の温度上昇を抑制し、熱湯と湯水を適温で吐出させることができる。
【００３４】
＜他の実施例＞
本発明は上記記述及び図面によって説明した実施例に限定されるものではなく、例えば次のような実施例も本発明の技術的範囲に含まれる。
（１）上記実施例では、同軸管部の中心に湯水流通路を設け、湯水流通路を包囲するように熱湯流通路を設けたが、同軸管部の中心に熱湯流通路を設け、熱湯流通路を包囲するように湯水流通路を設けてもよい。
（２）上記実施例では、回動管部と同軸管部が、鉛直軸を中心として回動するようになっているが、回動管部と同軸管部の回動軸の向きは、鉛直方向以外の向きであってもよい。
（３）上記実施例では、回動管部内で、熱湯流通路と湯水流通路とを同軸状に配したが、回動管部内で熱湯流通路と湯水流通路が非同軸状で並行して配置されていてもよい。
（４）上記実施例では、吐水管が水栓本体に対して回動可能となっているが、吐水管は水栓本体に対して回動不能であってもよい。
（５）上記実施例では、延長管部内で、熱湯流通路と湯水流通路とを非同軸状に且つ非接触状態で配したが、延長管部内で熱湯流通路と湯水流通路が同軸状に配置されていてもよい。
（６）上記実施例では、回動管部の下流端部から延長管部が延出されているが、吐水管は、延長管部を有しない形態であってもよい。
【符号の説明】
【００３５】
１…混合水栓
２…給水管
３…給湯管
１０…水栓本体
１３…分岐部
１４…混合弁
１５…熱湯流通路
１６…混合用流通路
１７…湯水流通路
２０…吐水管
２１…回動管部
２２…延長管部
２４…同軸管部
３６…別軸管部
【図１】
2018062813.tif 000003
【図２】
2018062813.tif 000004
【図３】
2018062813.tif 000005
【図４】
2018062813.tif 000006
【図５】
2018062813.tif 000007
【図６】
2018062813.tif 000008
【図７】
2018062813.tif 000009
【図８】
2018062813.tif 000010
【図９】
2018062813.tif 000011